(57)【要約】      （修正有）【課題】軟らかい生鮮食料品を傷めることなく収納移送し、収納した状態のままで展示販売することを可能とした生鮮食料品収納容器を提供する。【解決手段】上・下部収納部７，８を一体形成した透明或いは半透明の薄厚のプラスチックより成り、該下部収納部は底面及び側壁とで囲まれた下方空間を形成し、該上部収納部は上方の開放した側壁で囲まれた上方空間を形成し、該下部収納部と上部収納部との連結部には縁辺１１で周囲を補強した柔軟な弾力性載置シート３を保持する載置シート保持辺部９を下部収納部の側壁上端より外方へ突出して形成した容器本体と、該載置シート保持辺部に載置される縁辺と弾力性のある柔軟なシートよりなる載置シートと、該載置シート上に配設された生鮮食料品を上方から押圧保持してなる被覆シート４とにより生鮮食料品収納容器を構成する。【選択図】図１
0003149101.tif 000002
【実用新案登録請求の範囲】
【請求項１】
上・下部収納部を一体形成した透明或いは半透明の薄厚のプラスチックより成り、該下部収納部は底面及び側壁とで囲まれた下方空間を形成し、該上部収納部は上方の開放した側壁で囲まれた上方空間を形成し、該下部収納部と上部収納部との連結部には縁辺で周囲を補強した柔軟な弾力性載置シートを保持する載置シート保持辺部を下部収納部の側壁上端より外方へ突出して形成した容器本体と、該載置シート保持辺部に載置される縁辺と弾力性のある柔軟なシートよりなる載置シートと、該載置シート上に配設された生鮮食料品を上方から押圧保持してなる被覆シートとよりなることを特徴とする生鮮食料品収納容器。
【請求項２】
載置シートの縁辺は、外周部を形成する帯状辺で、その外側縁部を下方へ突出して補強片としてなることを特徴とする請求項１記載の生鮮食料品収納容器。
【請求項３】
載置シートのシートは、弾力性のある柔軟な目の細かいネットとしてなることを特徴とする請求項１又は２記載の生鮮食料品収納容器。
【請求項４】
載置シートのシートは、弾力性のある柔軟な薄い合成樹脂製シートとしてなることを特徴とする請求項１又は２記載の生鮮食料品収納容器。
【請求項５】
被覆シートは、上部収納部の対向する側壁上端間にかかるようにして上方開放部全面を被覆する柔軟な薄い合成樹脂製シートとし、生鮮食料品を載置シートとの間に挟持してなることを特徴とする請求項１乃至４のいずれかに記載の生鮮食料品収納容器。
【請求項６】
被覆シートは、上部収納部の側壁上端側の上方開放部全体を被覆する載置シートとし、該載置シートを輪ゴム等の固定手段により固定することにより生鮮食料品を載置シート保持辺部に載置された載置シートとの間に挟持してなることを特徴とする請求項１乃至４のいずれかに記載の生鮮食料品収納容器。
【考案の詳細な説明】
【技術分野】
【０００１】
本考案は、イチゴ、サクランボ、ビワ等の青果物或いは魚、肉、タマゴ等の食品等の比較的軟らかな生鮮食料品を潰すことなく弾力性のある柔軟なシート間に固定状態で収納し、移送及び展示販売するための収納容器に関する。
【背景技術】
【０００２】
従来より、比較的軟らかい青果物や魚、肉、タマゴ等の軟らかな食料品等を傷つけることなく移送するには、容器とは別体の何等かの緩衝材によりそれら生鮮食料品を囲むようにして収納し、容器に伝わる衝撃を緩和するとか、或いは軟らかい材料で該生鮮食料品の外形にほぼ合致した凹部を形成した容器内の該凹部に該生鮮食料品を嵌入或いは飛び出さない程度に一部挿入し、上方部を露出或いは軟らかい蓋で空間を有して被覆させ、外部からの衝撃を緩和するとかの手段等により行っている。
【０００３】
上記別体の緩衝材によって生鮮食料品を囲む手段は、収納に手間がかかり、また、使用後の緩衝材の処理が必要となり、その多くは廃材として破棄され、環境上好ましくなかった。
【０００４】
また、容器の凹部内に生鮮食料品を挿入する手段は、搬送時に凹部より飛び出したり、該生鮮食料品が大きくてその一部が押し潰されたり或いは該生鮮食料品の大きさの不揃いに対応することができなかったりすることが多かった。
【０００５】
更に、いずれの場合も外気と直接接触する機会が多く、生鮮食料品には劣化が早期に生じるものであった。
【０００６】
他方、下記文献のように、網状体の袋に青果物や野菜を収納する手段が存在するが、それらのものは通気性や透明性には優れているが、外からの衝撃に対しては考慮されていなかった。また、比較的軟らかい生鮮食料品では押し潰されてしまうおそれが多分にあり、従って、タマネギ、ジャガイモ等の硬い青果物を対象とするものであった。
【特許文献１】特開平７−３１５３９１号公報
【特許文献２】特開２００２−４６７５１号公報
【考案の開示】
【考案が解決しようとする課題】
【０００７】
本考案は、上記欠点を解決したもので、軟らかい生鮮食料品を傷めることなく収納移送し、収納した状態のままで展示販売することを可能とした生鮮食料品収納容器を目的とするものである。
【課題を解決するための手段】
【０００８】
上・下部収納部を一体形成した透明或いは半透明の薄厚のプラスチックより成り、該下部収納部は底面及び側壁とで囲まれた下方空間を形成し、該上部収納部は上方の開放した側壁で囲まれた上方空間を形成し、該下部収納部と上部収納部との連結部には縁辺で周囲を補強した柔軟な弾力性載置シートを保持する載置シート保持辺部を下部収納部の側壁上端より外方へ突出して形成した容器本体と、該載置シート保持辺部に載置される縁辺と弾力性のある柔軟なシートよりなる載置シートと、該載置シート上に配設された生鮮食料品を上方から押圧保持してなる被覆シートとよりなる生鮮食料品収納容器を特徴とする。
【０００９】
また、載置シートの縁辺は、外周部を形成する帯状辺で、その外側縁部を下方へ突出して補強片としてなる生鮮食料品収納容器を特徴とする。
【００１０】
更に、載置シートのシートは、弾力性のある柔軟な目の細かいネットとしてなる生鮮食料品収納容器を特徴とする。
【００１１】
また、載置シートのシートは、弾力性のある柔軟な薄い合成樹脂製シートとしてなる生鮮食料品収納容器を特徴とする。
【００１２】
更に、被覆シートは、上部収納部の対向する側壁上端間にかかるようにして上方開放部全面を被覆する柔軟な薄い合成樹脂製シートとし、生鮮食料品を載置シートとの間に挟持してなる生鮮食料品収納容器を特徴とする。
【００１３】
また、被覆シートは、上部収納部の側壁上端側の上方開放部全体を被覆する載置シートとし、該載置シートを輪ゴム等の固定手段により固定することにより生鮮食料品を載置シート保持辺部に載置された載置シートとの間に挟持してなる生鮮食料品収納容器を特徴とする。
【考案の効果】
【００１４】
本考案の生鮮食料品収納容器は、上方が開放した容器で、その開放した状態で弾力性のある柔軟なシート上に生鮮食料品を載置し、その後、上方部を弾力性のある柔軟なシートにより被覆閉鎖することにより弾力性のある柔軟なシート間に生鮮食料品を容器本体に接することなく浮かせた状態で挟持固定して収納することができ、比較的軟らかい生鮮食料品を傷めることなく収納、移送、展示販売することを可能とした。
【００１５】
また、挟持固定手段を弾力性があり柔軟で通気性及び透明性に優れているネット或いはフィルム状シートとしたので、生鮮食料品の鮮度を保持し、変色等の劣化を防止し、且つ容器の透明性と合わせて生鮮食料品が外部から可視できることを可能とした。
【００１６】
更に、該生鮮食料品収納容器に対する外部からの衝撃を該収納容器内に形成した載置シートと上端側の被覆シートとよりなる弾力性のある柔軟なシートの可動により吸収することができるので、移送時或いは展示販売時での各種衝撃による生鮮食料品の損傷を防止できることを可能とした。
【００１７】
また、該生鮮食料品の載置側のシート及び蓋側の被覆シートを各々別体とし、それらを組み合わせることにより生鮮食料品収納容器とすることができ、容器を簡単に製造することを可能とした。
【００１８】
更に、該容器は、その開放部が蓋のない状態なので生鮮食料品を載置シート上に載せるだけの作業となり様々な大きさの軟らかい生鮮食料品の収納作業を迅速に行うことを可能とした。
【考案を実施するための最良の形態】
【００１９】
以下、図面を参考に本考案を実施するための最良の形態についてその実施例を説明する。
【実施例１】
【００２０】
本考案の生鮮食料品収納容器１は、比較的軟らかいイチゴ、サクランボ、ビワ等の青果物やプチトマト等の生野菜或いは魚やその切身、更に肉片やタマゴ等の食品（以下、それらを総称して生鮮食料品という）を弾力性のある柔軟なシート間に保持し、直接容器本体に接することなく移送し、そのまま展示販売することを可能としたもので、透明或いは半透明のプラスチック容器、載置シート及び被覆シートとより構成されている。
【００２１】
図１に示すように、該生鮮食料品収納容器１は、容器本体２、載置シート３及び被覆シート４とよりなり、該容器本体２は底面部５と側壁６とで囲まれた下方空間部を形成する下部収納部７、上方が開放した側壁で囲まれた上方空間部を形成する上部収納部８及び両者の連結部に形成した載置シート保持辺部９とより構成されている。
【００２２】
該底面部５と該底面部５の周縁部から立ち上がった側壁６とによって下部収納部７が形成される。該下部収納部７はその上端部に形成した載置シート３上に様々な大きさの生鮮食料品を載置し、その上方からの被覆シート４による被覆により該載置シート３が押圧されて下方へ突出することになるが、その突出を許容する収納部としている。該下部収納部７は、収納された生鮮食料品が様々な振動によって該載置シート３が大きく移動しても底面部５や側壁６に接することがないような深さをもって形成されている。
【００２３】
該下部収納部７の上端部にはその先端部から各々外方へ水平状に突出した載置シート保持辺部９を形成し、該載置シート３の支持部材としている。
【００２４】
他方、該上部収納部８は、該載置シート保持辺部９の外縁部より立ち上がった側壁６と、該側壁６の開放側先端部から外方へ突出した鍔部１０とより形成されている。
【００２５】
該鍔部１０は、側壁６の開放側先端部の補強と該載置シート３上に載置された生鮮食料品を上方部から押圧する被覆シート４を巻き込むための保持手段としている。
【００２６】
載置シート３は、載置シート保持辺部９に載置される大きさを有した外周部を形成する周囲の縁辺１１及び該縁辺１１によって囲まれた空間部全面を覆い、該縁辺１１にその周囲を固定した弾力性のある柔軟なシート１２とより形成されている。該縁辺１１は、その周囲先端部の強度を得ることと該先端部により作業員の指等が傷つくことのないようにほぼ直角方向に折曲した補強片１３を形成している。
【００２７】
該柔軟な弾力性シート１２としては、図１に示すように、高分子ポリエチレン或いは該高分子ポリエチレンの発泡体等よりなる弾力性のある柔軟なネット１２ａが使用される。該弾力性のある柔軟なネット１２ａは、細い糸状のもので囲まれた目の小さなものから或る程度目の広いものまで使用でき、具体的な目の形状としては四角形、菱形或いは六角形等の多角形のもの等が採用され、その目の大きさも1辺が０．５ｍｍ〜１０．０ｍｍのものが好ましい。商品名ネトロン（登録商標）のような材料も使用できる。
【００２８】
上記柔軟な弾力性シート１２ａは、縁辺１１にその周囲を適宜手段により固定することになるが、該縁辺１１をポリエチレン製のもの等の同一或いは類似乃至は融着可能な材料を採用することにより製造時による熱溶着で一体固定することができる。
【実施例２】
【００２９】
図２に示す載置シート３´は、外周部を形成する周囲の縁辺１１´及び該縁辺１１´によって囲まれた空間部全面を覆い、該縁辺１１´にその周囲を固定した弾力性のある柔軟なシート１２ｂが使用される。柔軟なシート１２ｂとしてはミクロン単位の薄厚で弾力性のある柔軟なシートが選定される。上記柔軟なネット１２ａと同様の材料或いはそれに類似した材料を使用することにより製造時に縁辺１１´と熱溶着することができるが、それに限定されるものではなく、適宜手段により縁辺１１´と固定することができる。
【００３０】
上記柔軟なシート１２ａ、１２ｂは、縁辺１１、１１´の上面側に固定することにより、該柔軟なシート１２ａ、１２ｂ上に生鮮食料品による荷重がかかっても該縁辺１１、１１´により支持することができ、両者が分離することはない。
【００３１】
上記載置シート３´は、容器本体２内に挿入され、前記したシート保持辺部９上に載置されることになる。
【００３２】
該シート保持辺部９には上記した適宜生鮮食料品が配設されるが、図３に示すように、それらを被覆する被覆シート４は、例えば１０μｍ〜５０μｍの薄手のシートより形成されている。容器本体２内のシート保持辺部９によって支持された弾力性のある柔軟なシート１２ａ、１２ｂ上に生鮮食料品を配設し、その後、該生鮮食料品の上方部よりその全面を被覆し、その端部を鍔部に掛け渡し、該鍔部で固定することになる。
【００３３】
該生鮮食料品は、該被覆シート４に押圧され、弾力性のある柔軟なシート１２ａ、１２ｂを下方側へ押圧し、下部収納部７側へ突出することになる。該下部収納部７は、深さをもった空間として形成され、且つ弾力性のある柔軟なシート１２ａ、１２ｂによって支持されているので、該被覆シート４によって押圧された該生鮮食料品が容器本体２の底面部５や側壁６に接することはなく強固に挟持されることになる。
【実施例３】
【００３４】
上記ミクロン単位厚の被覆シート４に代えて、図４に示すように、載置シート３として使用したものと同一のものを生鮮食料品の上方に配設し、その後、上・下部収納部の連結部に形成した載置シート保持辺部によって形成された段部を利用する等して輪ゴム等の簡易な固定手段１４により容器本体２への外方から係止することにより生鮮食料品を押圧固定し、保持することができる。
【図面の簡単な説明】
【００３５】
【図１】本考案の生鮮食料品収納容器の全体を示す斜視図。
【図２】本考案の生鮮食料品収納容器の弾力性シートの他の実施例を示す斜視図。
【図３】本考案の生鮮食料品収納容器の生鮮食料品を収納し被覆シートにより保持した状態を示す断面図。
【図４】本考案の生鮮食料品収納容器の生鮮食料品を収納し載置シートにより保持した他の実施例を示す断面図。
【符号の説明】
【００３６】
１          生鮮食料品収納容器
２          容器本体
３、３´    載置シート
４          被覆シート
５          底面部
６          側壁
７          下部収納部
８          上部収納部
９          載置シート保持辺部
１０          鍔部
１１、１１´  縁辺
１２          弾力性のある柔軟なシート
１３          補強片
１４          固定手段
【図１】
0003149101.tif 000003
【図２】
0003149101.tif 000004
【図３】
0003149101.tif 000005
【図４】
0003149101.tif 000006